(57)【要約】【課題】一回の動作で簡単に開封できるとともに、リクローズの際にごみが発生せず、また内容物を容易に取り出すことができる広口の密封容器を提供する。【解決手段】密封容器１０は、一側が開口し、他側が密閉された柔軟性材料からなる容器本体１１と、容器本体１１の一側開口１１ａに接着されるとともに容器本体１１と別体に設けられ、容器本体１１の一側開口１１ａの形状を定める硬質材料からなる保形リング１２とを備えている。また、保形リング１２に、容器本体１１の一側開口１１ａを密封するキャップ１３が装着されている。このキャップ１３は保形リング１２に固定されている。【選択図】図１
2008037482.tif 000002
【特許請求の範囲】
【請求項１】
一側が開口し、他側が密閉された柔軟性材料からなる容器本体と、
容器本体の一側開口に接着されるとともに容器本体と別体に設けられ、容器本体の一側開口の形状を定める硬質材料からなる保形リングと、
保形リングに装着され、容器本体の一側開口を密封するキャップとを備え、
キャップは保形リングに固定されていることを特徴とする密封容器。
【請求項２】
保形リングは垂直断面Ｌ字形状を有し、このＬ字形状は、容器本体内面側の垂直部と、この垂直部から外方へ突出する水平部とからなることを特徴とする請求項１に記載の密封容器。
【請求項３】
保形リングの垂直部の下端内側に、垂直部の内径が下方に向って拡大するテーパー部が形成されていることを特徴とする請求項２に記載の密封容器。
【請求項４】
保形リングの垂直部は、０．３ｍｍ乃至２．０ｍｍの肉厚を有することを特徴とする請求項２に記載の密封容器。
【請求項５】
キャップは保形リングの水平部を側方から覆う囲み部を含むキャップ本体を有し、
キャップの囲み部内側に、保形リングの水平部と嵌合する突起部が設けられていることを特徴とする請求項２に記載の密封容器。
【請求項６】
容器本体の開口は、円形状または楕円形状をなしていることを特徴とする請求項１に記載の密封容器。
【請求項７】
キャップは保形リングに超音波シールにより固定されていることを特徴とする請求項１に記載の密封容器。
【請求項８】
キャップは、キャップ本体とキャップ本体内面に取り付けられた多層フィルムからなるインモールドラベルとからなるとともに、インモールドラベルの最内層は保形リングに超音波シールにより固定され、この最内層は、キャップの開封時に剥離可能となることを特徴とする請求項７に記載の密封容器。
【請求項９】
キャップは、キャップ本体とキャップ本体内面に取り付けられた多層フィルムからなるインモールドラベルとからなるとともに、インモールドラベルは、アルミニウム箔、アルミニウム蒸着ＰＥＴ、または透明バリアフィルムのいずれかの層を含むことを特徴とする請求項１に記載の密封容器。
【請求項１０】
キャップは、キャップ本体とキャップ本体内面に取り付けられた多層フィルムからなるインモールドラベルとからなるとともに、キャップ本体は、曲げ弾性率が８００ＭＰａ以下のオレフィン系合成樹脂からなることを特徴とする請求項１に記載の密封容器。
【請求項１１】
容器本体の一側開口に接着されるとともに容器本体と別体に設けられ、容器本体の一側開口の形状を定める硬質材料からなる保形リングと、
保形リングに装着され、容器本体の一側開口を密封するキャップとを備え、
キャップは保形リングに固定されていることを特徴とするキャップ装置。
【発明の詳細な説明】
【技術分野】
【０００１】
本発明は、飲料やジェル状液体等の内容物が充填される密封容器およびこの密封容器のキャップ装置に係り、とりわけ一回の動作で簡単に開封できるとともに、リクローズ（キャップを再度容器本体に被せること）の際にごみが発生しない広口の密封容器およびキャップ装置に関する。
【背景技術】
【０００２】
従来より、飲料等の内容物を密封して収容する容器が広く用いられている。このような容器は、一般に、容器本体に蓋材をヒートシールにより固着し、この蓋材の上方からオーバーキャップを打栓することにより製造されている。
【０００３】
このような容器は、上述したように容器本体、蓋材、およびオーバーキャップからなる３つの部材から構成されている。したがって、この容器を開封する際には、まずオーバーキャップを外し、次に蓋材を開封するという２段階の操作が必要となる。一方、容器の開封後、容器の内容物を残してリクローズ（キャップを再度容器本体に被せること）する場合、オーバーキャップを直接容器本体に被せて取り付ける。この場合、蓋材を再度容器本体に取り付けることができないため、蓋材はごみとして廃棄される。
【０００４】
また、特許文献１には、飲食物等の内容物を収容する容器（シールガゼット袋）が開示されている。この容器は、上部中央に反復して開閉可能な注出口を有しており、この注出口から内容物を吸い出すことが出来るようになっている。しかしながら、このような注出口は比較的直径が狭いため、内容物に固形分を多く含む場合など、内容物を十分に吸い出せない場合がある。
【特許文献１】特開平１０−５９３８８号公報
【発明の開示】
【発明が解決しようとする課題】
【０００５】
本発明はこのような点を考慮してなされたものであり、一回の動作で簡単に開封できるとともに、リクローズの際にごみが発生せず、また内容物を容易に取り出せる広口の密封容器およびキャップ装置を提供することを目的とする。
【課題を解決するための手段】
【０００６】
本発明は、一側が開口し、他側が密閉された柔軟性材料からなる容器本体と、容器本体の一側開口に接着されるとともに容器本体と別体に設けられ、容器本体の一側開口の形状を定める硬質材料からなる保形リングと、保形リングに装着され、容器本体の一側開口を密封するキャップとを備え、キャップは保形リングに固定されていることを特徴とする密封容器である。
【０００７】
本発明は、保形リングは垂直断面Ｌ字形状を有し、このＬ字形状は、容器本体内面側の垂直部と、この垂直部から外方へ突出する水平部とからなることを特徴とする密封容器である。
【０００８】
本発明は、保形リングの垂直部の下端内側に、垂直部の内径が下方に向って拡大するテーパー部が形成されていることを特徴とする密封容器である。
【０００９】
本発明は、保形リングの垂直部は、０．３ｍｍ乃至２．０ｍｍの肉厚を有することを特徴とする密封容器である。
【００１０】
本発明は、キャップは保形リングの水平部を側方から覆う囲み部を含むキャップ本体を有し、キャップの囲み部内側に、保形リングの水平部と嵌合する突起部が設けられていることを特徴とする密封容器である。
【００１１】
本発明は、容器本体の開口は、円形状または楕円形状をなしていることを特徴とする密封容器である。
【００１２】
本発明は、キャップは保形リングに超音波シールにより固定されていることを特徴とする密封容器である。
【００１３】
本発明は、キャップは、キャップ本体とキャップ本体内面に取り付けられた多層フィルムからなるインモールドラベルとからなるとともに、インモールドラベルの最内層は保形リングに超音波シールにより固定され、この最内層は、キャップの開封時に剥離可能となることを特徴とする密封容器である。
【００１４】
本発明は、キャップは、キャップ本体とキャップ本体内面に取り付けられた多層フィルムからなるインモールドラベルとからなるとともに、インモールドラベルは、アルミニウム箔、アルミニウム蒸着ＰＥＴ、または透明バリアフィルムのいずれかの層を含むことを特徴とする密封容器である。
【００１５】
本発明は、キャップは、キャップ本体とキャップ本体内面に取り付けられた多層フィルムからなるインモールドラベルとからなるとともに、キャップ本体は、曲げ弾性率が８００ＭＰａ以下のオレフィン系合成樹脂からなり、好ましくは３００ＭＰａ以下の柔軟性を有するオレフィン系合成樹脂からなることを特徴とする密封容器である。
【００１６】
本発明は、容器本体の一側開口に接着されるとともに容器本体と別体に設けられ、容器本体の一側開口の形状を定める硬質材料からなる保形リングと、保形リングに装着され、容器本体の一側開口を密封するキャップとを備え、キャップは保形リングに固定されていることを特徴とするキャップ装置である。
【発明の効果】
【００１７】
本発明によれば、密封容器が蓋材を有していないので、容器本体内の内容物を取り出す際、一回の動作で簡単に密封容器を開封できる。また、密封容器が蓋材を有していないので、リクローズの際にもごみが発生しない。
【００１８】
また、本発明によれば、保形リングは、容器本体内面側の垂直部と、この垂直部から外方へ突出する水平部とからなっているので、保形リング内部に突出する箇所が存在せず、容器本体から内容物を容易に取り出すことができる。
【００１９】
さらに、本発明によれば、保形リングの垂直部の下端内側に垂直部の内径が下方に向って拡大するテーパー部が形成されているので、保形リング内部に突出する箇所が存在せず、容器本体から内容物を容易に取り出すことができる。
【００２０】
さらにまた、本発明によれば、キャップの内側に保形リングの水平部と嵌合する突起部が設けられているので、キャップを保形リングに取り付けて密封容器をリクローズすることができる。
【００２１】
さらにまた、本発明によれば、キャップは保形リングに超音波シールにより固定されるので、熱シールを用いる場合と異なり、キャップの厚さが厚い場合（例えば０．５ｍｍ以上）であってもキャップを保形リングに容易に取り付けることができる。
【００２２】
さらにまた、本発明によれば、キャップのインモールドラベルの最内層は、キャップの開封時に剥離可能となっているので、容器本体内の内容物を取り出す際、簡単に密封容器を開封することができる。
【００２３】
さらにまた、本発明によれば、キャップのインモールドラベルは、アルミニウム箔、アルミニウム蒸着ＰＥＴ、または透明バリアフィルムからなっているので、内容物の密封性やバリアー性を高めることができ、内容物を外部から保護して内容物の腐敗を防止することができる。
【００２４】
さらにまた、本発明によれば、キャップ本体は、曲げ弾性率が８００ＭＰａ以下のオレフィン系合成樹脂からなり、好ましくは曲げ弾性率が３００ＭＰａ以下の合成樹脂からなっているので、キャップを保形リングから容易に取り外すことができる。
【発明を実施するための最良の形態】
【００２５】
以下、本発明の一実施の形態について、図１乃至図５を参照して説明する。
ここで、図１は、本発明の一実施の形態を示す斜視図であり、図２は、本発明の一実施の形態を示す垂直断面図である。また、図３は、図２のＡ部拡大図であり、図４は、キャップを取り外した状態における容器本体および保形リングの斜視図である。また、図５は、キャップの内部構造を示す概略断面図である。
【００２６】
まず、図１乃至図５により、本実施の形態による密封容器の概略について説明する。
図１、図２および図４に示すように、密封容器１０は、一側が開口し、他側が密閉された（符号１１ｂ）柔軟性材料からなる容器本体１１と、容器本体１１の一側開口１１ａに接着されるとともに容器本体１１と別体に設けられ、容器本体１１の一側開口１１ａの形状を定める円筒状の保形リング１２とを備えている。
【００２７】
なお、保形リング１２は、後述のように、容器本体１１と比較して硬質材料から形成されている。また、容器本体１１の開口１１ａは、円形状または楕円形状をなしている。また、保形リング１２に、容器本体１１の一側開口１１ａを密封するキャップ１３が装着されている。このキャップ１３は保形リング１２に固定されている。
【００２８】
また、図２に示すように、保形リング１２とキャップ１３とを組合わせてキャップ装置１４が構成される。このキャップ装置１４において、保形リング１２およびキャップ１３の構成は、密封容器１０における保形リング１２およびキャップ１３の構成と同様である。
【００２９】
ところで、図３に示すように、保形リング１２は垂直断面Ｌ字形状を有している。この保形リング１２のＬ字形状は、容器本体１１内面側の垂直部１２ａと、この垂直部１２ａから外方へ突出する水平部１２ｂとからなっている。保形リング１２の垂直部１２ａは、容器本体１１の一側開口１１ａの内周面に全周にわたって固着されている。さらに、保形リング１２の垂直部１２ａの下端内側に、垂直部１２ａの内径が下方に向って徐々に拡大するテーパー部１２ｃが形成されている。このテーパー部１２ｃは、容器本体１１内から内容物を取り出す際、保形リング１２の垂直部１２ａ下端に内容物が引っ掛かるのを防止する役割を果たす。
【００３０】
なお、保形リング１２は、上述したように容器本体１１と比較して硬質の材料からなっているが、保形リング１２を押圧して内容物を取り出せる程度に柔軟性を有している。また保形リング１２は、後述するように保形リング１２とキャップ１３とを超音波シールにより固着できるように、熱により溶解しやすい材質からなっている。
【００３１】
さらに、保形リング１２の垂直部１２ａは、０．３ｍｍ乃至２．０ｍｍの肉厚Ｗを有することが好ましい。この肉厚Ｗが０．３ｍｍを下回ると、垂直部１２ａの強度が不足する。他方、肉厚Ｗが２．０ｍｍを上回ると、保形リング１２が硬くなり、容器本体１１および保形リング１２を押圧して容器本体１１内の内容物を取り出すのが難しくなる。
【００３２】
このような構成からなる容器本体１１は、例えばバリア性を有するチューブであって、層構成が、直鎖状低密度ポリエチレン樹脂（ＬＬＤＰＥ）／ＰＥＴ／インキ／ＡＬ／ＬＬＤＰＥ、またはＣＰＰ／ＰＥＴ／インキ／ＡＬ蒸着ＰＥＴ／ＣＰＰという構成からなるラミネートチューブが用いられる。また、容器本体１１内の内容物を見せたい場合には、上述の層構成中のＡＬに代えて、透明蒸着フィルムやエバールフィルムを使用しても良い。または、容器本体１１は、バリア性を有する多層押し出しチューブ（層構成がＰＰ／ＥＶＯＨ／ＰＥ、またはＣＰＰ／ＥＶＯＨ／ＣＰＰからなる）であっても良い。
【００３３】
他方保形リング１２は、射出成形、コンプレッション成形等により成型される。保形リング１２と容器本体１１との接着方法としては、保形リング１２を成形する金型に本体容器１１をインサートし、成形と同時に接着するインサート成形方法や、予め保形リング１２を成形しておき、容器本体１１と熱接着で取り付ける方法でも良い。
【００３４】
また、図５に示すように、キャップ１３は、キャップ本体１３ｂとキャップ本体１３ｂ内面に取り付けられた多層フィルムからなるインモールドラベル１３ｃとからなっている。さらに、図３に示すように、キャップ本体１３ｂは、保形リング１２の水平部１２ｂを側方から覆う囲み部１３ｋを含み、この囲み部１３ｋの内側に、保形リング１２の水平部１２ｂと嵌合する突起部１３ａが設けられている。
【００３５】
また、キャップ本体１３ｂは、曲げ弾性率が８００ＭＰａ以下、好ましくは３００ＭＰａ以下の比較的軟らかいオレフィン系合成樹脂、例えばプライムポリマー社製Ｊ−５９１０（商品名）等の軟質ＰＰ樹脂、低密度ポリエチレン樹脂（以下ＬＤＰＥともいう）、または直鎖状低密度ポリエチレン樹脂（以下ＬＬＤＰＥともいう）からなっている。また、キャップ本体１３ｂは、後述するようにキャップ１３のインモールドラベル１３ｃと保形リング１２の水平部１２ｂとを超音波シールにより固着する際、キャップ本体１３ｂと保形リング１２とが直接固着されないように、保形リング１２と異なる材質からなっている。
【００３６】
上述したように、インモールドラベル１３ｃは複数の層１３ｄ、１３ｅ、１３ｆ、１３ｇが互いに積層された多層フィルムからなっている（図５参照）。このうち最内層１３ｇは、イージーピールフィルムからなっており、キャップ１３の開封時にその一部が剥離して保形リング１２側に残るようになっている。また、最内層１３ｇの上方に、例えばＰＥＴからなる層１３ｆ、例えばアルミニウム箔からなる層１３ｅ、および最外層１３ｄが、この順で積層されている。また、各層１３ｄ、１３ｅ、１３ｆ、１３ｇの間に、それぞれ各層を接着する例えばドライラミネート層（ＤＬ）のような接着層１３ｈが設けられている。
【００３７】
また、インモールドラベル１３ｃの最内層１３ｇは、図３の符号１５の位置で、保形リング１２の水平部１２ｂに超音波シールにより固着されている。この場合、インモールドラベル１３ｃの最内層１３ｇは、円周方向全周に延びる超音波シール部１５において保形リング１２に固着されているため、保形リング１２とキャップ１３との密封性を高めることができる。なお、超音波シールとは、超音波により保形リング１２とキャップ１３とを振動させ、この際生じる摩擦熱により保形リング１２を溶解させて保形リング１２とキャップ１３とを固着させる方法である。
【００３８】
なお、最外層１３ｄは、最外層１３ｄとキャップ本体１３ｂとを互いに接合しやすくするように、キャップ本体１３ｂと同種の材質からなるのが好ましい。したがって、キャップ本体１３ｂが軟質ＰＰ樹脂からなる場合、最外層１３ｄはＣＰＰフィルムからなるのが好ましい。他方、キャップ本体１３ｂがＬＤＰＥからなる場合、最外層１３ｄもＬＤＰＥからなるのが好ましく、キャップ本体１３ｂがＬＬＤＰＥからなる場合、最外層１３ｄもＬＬＤＰＥからなるのが好ましい。
【００３９】
なお、インモールドラベル１３ｃの層１３ｅおよび層１３ｆに代えて、アルミニウム蒸着ＰＥＴ、または透明バリアフィルムからなる単一の層が設けられていても良い。
【００４０】
インモールドラベル１３ｃの具体的層構成としては以下のものが考えられる。
（１）イージーピールフィルム／ＤＬ／ＰＥＴ／ＡＬ／ＤＬ／ＣＰＰフィルム（キャップ本体１３ｂがＰＰの場合）
（２）イージーピールフィルム／ＤＬ／ＡＬ蒸着ＰＥＴ／ＤＬ／ＣＰＰフィルム（キャップ本体１３ｂがＰＰの場合）
（３）イージーピールフィルム／ＤＬ／透明蒸着ＰＥＴ／ＤＬ／ＣＰＰフィルム（キャップ本体１３ｂがＰＰの場合）
なお上記層構成（１）（２）（３）において、キャップ本体がＬＬＤＰＥ、ＬＤＰＥ樹脂の場合は、ＣＰＰフィルムではなく、ＬＬＤＰＥ、ＬＤＰＥ等を使用する。
【００４１】
次に、このような構成からなる本実施の形態の作用について述べる。
まず、図１に示す容器１０において、キャップ１３の左右いずれかの端部を引上げることによりキャップ１３が容器本体１１側の保形リング１２から取外され、密封容器１０が開封される。この際、超音波シールにより固着されたキャップ１３のインモールドラベル１３ｃの最内層１３ｇは、超音波シール部１５を介して円周方向全周に渡って保形リング１２の水平部１２ｂに堅固に固着されているため、最内層１３ｇは、その超音波シール部１５近傍の一部が他の部分から剥離する。この場合、最内層１３ｇの剥離された部分は保形リング１２の水平部１２ｂ側に残り、最内層１３ｇの他の部分はキャップ１３とともに保形リング１２から離れる。これにより、キャップ１３は保形リング１２から引き離される。この間、保形リング１２の垂直部１２ａは容器本体１１の外面と比較的強く固着されているため、保形リング１２が容器本体１１から外れることはない。
【００４２】
次に、容器本体１１の側面を手で押圧することにより、容器本体１１の一側開口１１ａから内容物を取り出す。この際、保形リング１２も変形して内容物を容易に取り出すことができる。また、仮に容器本体１１内に内容物の一部が残存している場合、キャップ１３を保形リング１２に被せてリクローズし、内容物を保存することができる。この場合、キャップ１３を保形リング１２に被せると、保形リング１２の水平部１２ｂがキャップ１３の突起部１３ａと嵌合する。これにより、キャップ１３が保形リング１２に取り付けられ、密閉容器１０をリクローズすることができる。
【００４３】
このように、本実施の形態によれば、密封容器１０は蓋材を有していないので、容器本体１１内の内容物を取り出す際、一回の動作で簡単に密封容器１０を開封できる。また、密封容器１０をリクローズする際にごみが発生しないようにすることができる。
【００４４】
また、本実施の形態によれば、保形リング１２は、容器本体１１内面側の垂直部１２ａと、この垂直部１２ａから外方へ突出する水平部１２ｂとからなっているので、保形リング１２内部に突出する箇所が存在せず、容器本体１１から内容物を容易に取り出すことができる。
【００４５】
さらに、本実施の形態によれば、保形リング１２の垂直部１２ａの下端内側に、垂直部１２ａの内径が下方に向って拡大するテーパー部１２ｃが形成されているので、容器本体１１から内容物を容易に取り出すことができる。
【００４６】
さらにまた、本実施の形態によれば、キャップ１３の内側に、保形リング１２の水平部１２ｂと嵌合する突起部１３ａが設けられているので、キャップ１３を保形リング１２に取り付けて密封容器１０をリクローズすることができる。
【００４７】
さらにまた、本実施の形態によれば、キャップ１３は保形リング１２に超音波シールにより固定されるので、熱シールを用いる場合と異なり、キャップ１２の厚さが厚い場合（例えば０．５ｍｍ以上）であってもキャップ１３を保形リング１２に容易に取り付けることができる。
【００４８】
さらにまた、本実施の形態によれば、インモールドラベル１３ｃの最内層１３ｇは、キャップ１３の開封時に超音波シール部１５近傍の一部が他の部分から剥離可能となっているので、容器本体１１内の内容物を取り出す際、簡単に密封容器１０を開封することができる。
【００４９】
さらにまた、本実施の形態によれば、キャップ１３のインモールドラベル１３ｃは、アルミニウム箔、アルミニウム蒸着ＰＥＴ、または透明バリアフィルムからなっているので、内容物の密封性やバリアー性を高めることができ、内容物を外部から保護して内容物の腐敗を防止することができる。
【００５０】
さらにまた、本実施の形態によれば、キャップ本体１３ｂは、曲げ弾性率が８００ＭＰａ以下のオレフィン系合成樹脂からなっているので、キャップ１３を保形リング１２から容易に取り外すことができる。
【図面の簡単な説明】
【００５１】
【図１】本発明による密封容器の一実施の形態を示す概略断面図。
【図２】本発明による密封容器の一実施の形態を示す垂直断面図。
【図３】図２のＡ部拡大図。
【図４】キャップを取り外した状態における容器本体および保形リングの斜視図。
【図５】キャップの内部構造を示す概略断面図。
【符号の説明】
【００５２】
１０    密封容器
１１    容器本体
１１ａ  一側開口
１２    保形リング
１２ａ  垂直部
１２ｂ  水平部
１２ｃ  テーパー部
１３    キャップ
１３ａ  突起部
１３ｂ  キャップ本体
１３ｃ  インモールドラベル
１３ｄ、１３ｅ、１３ｆ、１３ｇ  層
１３ｈ  接着層
１３ｋ  囲み部
１４    キャップ装置
１５    超音波シール部
【図１】
2008037482.tif 000003
【図２】
2008037482.tif 000004
【図３】
2008037482.tif 000005
【図４】
2008037482.tif 000006
【図５】
2008037482.tif 000007